(57)【特許請求の範囲】
【請求項１】
被抽出材料を入れる袋部が通水性濾過性シート材料からなり、該袋部が上面部と背面部とを有し、背面部には袋部の開口端から伸長部が連設され、少なくとも伸長部が柔軟なシート材料からなり、伸長部の端部に重り片が設けられ、袋部を容器内に入れ、重り片が容器外に出るように伸長部を容器壁に掛けた場合に、伸長部及び重り片が容器壁に略沿って垂れ下がることを特徴とする抽出バッグ。
【請求項２】
上面部と背面部と伸長部が一枚の矩形の通水性濾過性シート材料から形成されており、重り片が伸長部の端部に貼付されている請求項１記載の抽出バッグ。
【請求項３】
通水性濾過性シート材料が、厚さ５０〜２５０μｍ、目付１０〜５０ｇ／ｍ2の不織布又は紙からなる請求項１又は２記載の抽出バッグ。
【発明の詳細な説明】
【０００１】
【発明の属する技術分野】
本発明は、緑茶、紅茶、麦茶等の茶材料や、煮干し、鰹節等のだし材料、その他被抽出材料の抽出を、カップ等の容器内で容易に行えるようにする抽出バッグに関する。
【０００２】
【従来の技術】
従来より、緑茶、紅茶、麦茶等の茶材料や、煮干し、鰹節等のだし材料、その他被抽出材料の抽出を、カップ等の容器内で行うための袋、即ち抽出バッグとしては、実開昭５９−１３８５６８号公報に記載されているように、不織布等の通水性濾過性シートを特定の方法で折り畳み、袋体に構成したものが知られている。この抽出バッグは、シートの折り返しにより形成されたカバー片を袋体の開口部に有しており、カバー片を反転させることにより袋体の開口部が閉じられるようになっている。
【０００３】
この抽出バッグを使用して被抽出材料を抽出する方法としては、まず、袋体内に被抽出材料を入れ、次いでカバー片を反転させて袋体の開口部を閉じ、それをカップ等の容器内に入れ、熱湯をかけるなどして被抽出材料が入った袋体を熱湯内に浸漬する。
【０００４】
この抽出バッグによれば、任意の被抽出材料の抽出を、必要量だけの被抽出材料を使用し、かつ格別の抽出具を使用することなく、比較的簡便に行うことができる。例えば、湯飲み一杯分の茶をいれる場合に、余分の茶葉を無駄にすることなく、一杯分の茶葉を用い、また、急須等の抽出具を使用することなく、湯飲み内に直接的に茶をいれることができる。
【０００５】
【発明が解決しようとする課題】
しかしながら、実開昭５９−１３８５６８号公報に記載されているような抽出バッグは、カバー片を反転させる作業が煩雑である。また、必要に応じて抽出済みの被抽出材料を抽出液から取り出そうとしても、抽出バッグ全体が抽出液に浸漬しているので、素手で簡単に取り出すことができない。
【０００６】
本発明は以上のような従来技術の課題を解決しようとするものであり、被抽出材料の充填をより簡便に行うことができ、随時、被抽出材料を抽出液から簡便に取り出すことのできる新たな抽出バッグを提供することを目的としている。
【０００７】
【課題を解決するための手段】
本発明者は、上記の目的を達成するため、被抽出材料を入れる袋部が通水性濾過性シート材料からなり、該袋部が上面部と背面部とを有し、背面部には袋部の開口端から伸長部が連設され、少なくとも伸長部が柔軟なシート材料からなり、伸長部の端部に重り片が設けられ、袋部を容器内に入れ、重り片が容器外に出るように伸長部を容器壁に掛けた場合に、伸長部及び重り片が容器壁に略沿って垂れ下がることを特徴とする抽出バッグを提供する。
【０００８】
本発明の抽出バッグによれば、袋部に被抽出材料を入れ、それをカップ等の容器内に入れ、重り片が容器外に出るように伸長部を容器壁に掛け、次いで容器内に熱湯等を注ぐことにより容器内に簡便に抽出液を得ることができる。
【０００９】
この場合、容器外の重り片が容器内の袋部の向きを規制するので、袋部の開口部は格別閉じなくても、被抽出材料が袋部の開口部からあふれ出ることはない。したがって、開口部を閉じるための作業が不要である。さらに、容器外にある重り片を引き上げることにより、随時、被抽出材料を抽出液あるいは容器から簡便に取り出すことができる。
【００１０】
また、本発明の抽出バッグを、その上面部と背面部と伸長部とを一枚の矩形の通水性濾過性シート材料から形成し、重り片を伸長部の端部に貼付することにより形成すると、極めて低コストに抽出バッグを製造することが可能となる。
【００１１】
【発明の実施の形態】
以下、本発明の実施の態様を図面を参照しつつ詳細に説明する。なお、各図中、同一符号は同一又は同等の構成要素をあらわしている。
【００１２】
図２は、本発明の一態様の抽出バッグ１０の平面図（同図（ａ））と断面図（同図（ｂ））であり、図１はその使用方法を説明する斜視図である。
【００１３】
図２に示すように、この抽出バッグ１０は、被抽出材料２０を入れる袋部１が上面部２と背面部３とから形成されており、この背面部３には袋部１の開口端４から伸長部５が連接されている。また、伸長部５の端部には、重り片６が設けられている。
【００１４】
本発明において、袋部１は、その中に入れる被抽出材料２０は通過させないが、抽出液は十分に通過させることのできる通水性濾過性シート材料から形成する。なお、必ずしも袋部１の全面を通水性濾過性シート材料から形成する必要はないが、全面を通水性濾過性シート材料から形成することが、抽出効率や抽出バッグ１０の製造コストの点から好ましい。
【００１５】
通水性濾過性シート材料としては、例えば、ポリエステル、ナイロン、ポリエチレン、ポリプロピレン、ビニロン等の合成繊維、レーヨン等の半合成繊維、コウゾ、ミツマタ等の天然繊維の単独又は複合繊維からなる織布あるいは不織布、マニラ麻、木材パルプ、ポリプロピレン繊維等からなる混抄紙等、ティーバッグ原紙等の紙類を使用することができる。特に、抽出液に水道水のカルキ臭が感じられることを防止する点からは、上述の織布、不織布、混抄紙、紙類などを形成する繊維に、カルキ臭を吸収するキチンキトサン繊維又はキチンキトサンセルロース繊維を複合させたものが好ましい。キチンキトサン繊維又はキチンキトサンセルロース繊維としては、例えば、特開平９−２４１９２８号公報に記載の繊維を使用することができる。また、通水性濾過性シート材料としては、１層目がレギュラーポリエステル、２層目がレギュラーポリエステルと低融点ポリエステルとの混抄紙からなる２層構造のシート材料が、味、香り、風味、抽出時間の点で好ましい。
【００１６】
通水性濾過性シート材料の厚さとしては、５０〜２５０μｍが好ましく、また目付量は１０〜５０ｇ／ｍ2が好ましい。
【００１７】
一方、伸長部５は、背面部３と連接している限り、背面部３と別個に形成し、背面部３と接続させてもよく、あるいは背面部３を形成するシート材料の延長部分として形成してもよいが、後述するように抽出バッグ１０の製造コストの点からは、背面部３のシート材料の延長部分として形成することが好ましい。
【００１８】
また、袋部１を容器３０内に入れ、重り片６が容器３０外に出るように伸長部５を容器壁３１に掛けた場合に、伸長部５及び重り片６が容器壁３１に沿って垂れ下がるように、伸長部５は柔軟なシート材料から形成することが好ましい。
【００１９】
以上の上面部２と背面部３と伸長部５とは、図２（ｂ）に示したように、一枚の通水性濾過性シート材料から形成することが好ましい。即ち、一枚の通水性濾過性性シート材料を折り畳み、上面部２と背面部３の対向する縁辺７、８をそれぞれ接着又は融着して袋部１を形成することにより抽出バッグ１０の袋部１と伸長部５とを極めて低コストに工業的に製造することが可能となる。
【００２０】
本発明の抽出バッグ１０において、重り片６は、袋部１に被抽出材料２０を入れ、それを容器３０に入れ、重り片６が容器３０外に出るように伸長部５を容器壁３１に掛け、その容器３０内に熱湯等を注いだ場合に、容器３０内での袋部１の向きを規制し、袋部１が容器３０内で倒れることを防止できる程度の重さを有している限り、その形成材料に特に制限はない。例えば、板紙、プラスチック片、合成紙等から形成することができる。
【００２１】
重り片６の重さとしては、袋部１の容積、形成材料等にもよるが、例えば、袋部１をポリエステル製不織布から形成し、その大きさを６ｃｍ×８ｃｍ程度の矩形とした場合、重り片６の重さは、１〜５ｇ程度とすることが好ましい。
【００２２】
また、重り片６を伸長部５の端部に取り付ける方法には特に制限はなく、例えば、図２（ｂ）に示したように、伸長部５の端部に重ねて重り片６を貼付することができる。
【００２３】
本発明の抽出バッグ１０の使用方法としては、袋部１に任意の被抽出材料２０を入れ、それを湯飲み、カップ等任意の容器３０内に入れ、重り片６が容器３０外に出るように伸長部６を容器壁３１に掛け、次いで容器３０内に熱湯等を注ぐ。これにより容器３０内に簡便に抽出液を得ることができる。また、この後随時、重り片６をつまんで引き上げることにより、容易に被抽出材料２０を抽出液あるいは容器３０から取り出すことができる。
【００２４】
なお、袋部１に入れる被抽出材料２０としては、特に制限はなく、例えば、緑茶、紅茶、麦茶等の茶材料や、コーヒー粉、煮干し、鰹節等のだし材料、漢方薬等をあげることができる。
【００２５】
【発明の効果】
本発明の抽出バッグによれば、茶葉等の被抽出材料の抽出に際し、被抽出材料を簡便に充填することができる。また、抽出後に、随時、被抽出材料を抽出液から簡便に取り出すことができる。
【図面の簡単な説明】
【図１】本発明の抽出バッグの使用方法を説明する斜視図である。
【図２】本発明の一態様の抽出バッグ平面図（同図（ａ））及び断面図（同図（ｂ））である。
【符号の説明】
１    袋部
２    上面部
３    背面部
４    袋部の開口端
５    伸長部
６    重り片
１０    抽出バッグ
２０    被抽出材料
３０    容器
３１    容器壁
【図１】
0003849304.tif 000002
【図２】
0003849304.tif 000003